(57)【要約】【課題】浴槽が壁体および扉で囲繞されており、外部から浴槽への移動が容易で利便性の良い浴室ユニットを提供する。【解決手段】浴室ユニット１００は、湯を溜める浴槽１と、浴槽１内において入浴する入浴者に湯を浴びせるシャワー装置２と、浴槽１を囲繞するように浴槽１の周縁部に配設された壁体５１，５２および５３、並びに扉６とを備える。浴槽１の長手方向に沿う一側における壁体５１に、シャワー装置２のシャワーヘッド２１を掛け止めるフック２２が配設されており、該一側または他側に扉６が配設されている。【選択図】図６
2018186964.tif 000002
【特許請求の範囲】
【請求項１】
湯を溜める浴槽と、前記浴槽内において入浴する入浴者に湯を浴びせるシャワー装置と、前記浴槽を囲繞するように前記浴槽の周縁部に配設された壁体および扉と、を備える浴室ユニットにおいて、
前記浴槽の長手方向に沿う一側における前記壁体に、前記シャワー装置のシャワーヘッドを掛け止めるフックが配設されており、
前記一側または他側に前記扉が配設されていることを特徴とする浴室ユニット。
【請求項２】
前記一側に吐水装置が配設されていることを特徴とする請求項１に記載の浴室ユニット。
【請求項３】
前記浴槽の長手方向の端部における前記壁体に吐水装置が配設されていることを特徴とする請求項１に記載の浴室ユニット。
【発明の詳細な説明】
【技術分野】
【０００１】
本発明は、浴室ユニットに関する。
【背景技術】
【０００２】
近年では、浴槽の四方を壁部および扉で覆い、壁部にシャワー装置を設けたコンパクトな浴室ユニットが考案されている。
【０００３】
例えば、特許文献１には、平面視長方形状をなし、長辺を分割するように仕切りとなるドアを設け、ドアの一方側を浴室ユニット、他方側を脱衣室として構成したユニットルームが記載されている。浴室ユニット内には、長辺に沿う壁部にシャワーヘッドを掛け止めるフックおよび水栓が設けられている。フックおよび水栓は、開き戸であるドアが通過する領域の外側であって、ドア側から見て浴室ユニット内の右側方の壁部に配置されている。
【先行技術文献】
【特許文献】
【０００４】
【特許文献１】特開２００８−０９５４７５号公報
【発明の概要】
【発明が解決しようとする課題】
【０００５】
特許文献１に記載の浴室ユニットは、ユーザがドアを開けて脱衣室側から浴室ユニット内へ移動する際に、シャワーヘッドおよびそのフックが進路中にあって、ユーザの身体に触れてしまう可能性があり、移動し難いという問題点があった。
【０００６】
本発明は、斯かる事情に鑑みてなされたものであり、その目的とするところは、浴槽が壁体および扉で囲繞されており、外部から浴槽への移動が容易で利便性の良い浴室ユニットを提供することにある。
【課題を解決するための手段】
【０００７】
本発明に係る浴室ユニットは、湯を溜める浴槽と、前記浴槽内において入浴する入浴者に湯を浴びせるシャワー装置と、前記浴槽を囲繞するように前記浴槽の周縁部に配設された壁体および扉と、を備える浴室ユニットにおいて、前記浴槽の長手方向に沿う一側における前記壁体に、前記シャワー装置のシャワーヘッドを掛け止めるフックが配設されており、前記一側または他側に前記扉が配設されていることを特徴とする。
【発明の効果】
【０００８】
本発明によれば、浴室ユニットは、浴槽が壁体および扉で囲繞されており、外部から浴槽への移動が容易で利便性の良い。
【図面の簡単な説明】
【０００９】
【図１】本発明の実施形態に係る浴室ユニットの外観を示す斜視図である。
【図２】本発明の実施形態に係る浴室ユニット内の外観を示す斜視図である。
【図３】浴室ユニットの施工例を示す斜視図である。
【図４】浴室ユニットにおける浴槽の長手方向の縦断面図である。
【図５】図４に示すＡ−Ａ線による浴室ユニットの断面図である。
【図６】図４に示すＢ−Ｂ線による浴室ユニットの断面図である。
【図７】変形例に係る浴室ユニットにおける図４のＢ−Ｂ線による断面に相当する断面図である。
【図８】別の変形例に係る浴室ユニットにおける図４のＢ−Ｂ線による断面に相当する断面図である。
【発明を実施するための形態】
【００１０】
以下、本発明を好適な実施の形態をもとに図１から図８を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態）
図１は本発明の実施形態に係る浴室ユニット１００の外観を示す斜視図、図２は本発明の実施形態に係る浴室ユニット１００内の外観を示す斜視図である。浴室ユニット１００は、浴槽１、シャワー装置２、吐水装置３、壁部５および扉６等を備える。浴槽１は、平面視矩形状をなし、湯を溜めることができる深皿状である。浴槽１は、周縁部１０に配設された壁部５および扉６によって、周囲が覆われ、上方を天井７によって覆われている。
【００１２】
壁部５は、浴槽１の長手方向に沿う一側に配設された壁体５１、浴槽１の長手方向の両端部であって壁体５１の両側に配設される壁体５２および５３で構成されている。扉６は、浴槽１の長手方向に沿う他側に配設されており、壁体５１に対向する。扉６は、引き違い戸であり、左側扉６ａおよび右側扉６ｂともスライドさせることにより開閉することができる。
【００１３】
浴槽１は、壁部５および扉６によって外部から遮蔽されている。ユーザは、扉６を開状態にして浴槽１内に移動し、扉６を閉状態にしてシャワー装置２のシャワーヘッド２１から吐出される湯を浴びる。シャワーヘッド２１は、フック２２に掛け止められる。浴槽１は、吐水装置３の吐水具３１から吐水することによって湯を溜めることができる。ユーザは、浴槽１に溜めた湯に浸かって入浴することができる。浴槽１に溜めた湯は、浴槽１の底部１１に設けた排水栓１２から排出される。尚、浴室ユニット１００は、浴槽１の側方に洗い場床が設けられておらず、浴槽１内で入浴が行われるものである。
【００１４】
図３は浴室ユニット１００の施工例を示す斜視図である。浴室ユニット１００は、扉６部分が開口した外壁パネル８で四方を覆い、壁９０および床９１等で区画された屋内空間において床９１上に設置される。また、浴室ユニット１００は、外壁パネル８で覆うことなく、浴室ユニット１００が納まる程度の空間に設置されてもよい。尚、浴室ユニット１００には、浴槽１に溜めた湯を排水するための排水管、および給水給湯管が付属するが、これらの部品については説明の簡潔のため記載を省略した。
【００１５】
図４は浴室ユニット１００における浴槽１の長手方向の縦断面図、図５は図４に示すＡ−Ａ線による浴室ユニット１００の断面図、図６は図４に示すＢ−Ｂ線による浴室ユニット１００の断面図である。シャワー装置２は、縦ガイドバー２０、シャワーヘッド２１およびフック２２を有し、壁体５１における浴槽１の長手方向の略中央部に配設されている。縦ガイドバー２０は、上下方向を軸方向とする棒状であり、浴室ユニット１００の高さ方向の中途部から天井７の近傍まで延びる。フック２２は、浴槽１の長手方向の略中央部に配設されているので、浴槽１の長手方向の両端部のどちら側にユーザが着座したとしてもフック２２に掛け止められたシャワーヘッド２１に手が届き、シャワー装置２へのアクセスが容易に行えるようになっている。
【００１６】
フック２２は、縦ガイドバー２０の軸方向に摺動可能に取り付けられており、任意の高さ位置で保持することができる。シャワーヘッド２１は、フック２２に着脱自在に掛け止めることができる。シャワーヘッド２１は、ホース２３によって吐水装置３に連結されており、吐水装置３から湯水が供給される。
【００１７】
吐水装置３は、吐水本体部３０、吐水具３１、切替水量調節つまみ３２、および温度調節つまみ３３を備え、壁体５１に配設されている。吐水装置３は、壁体５１の裏側に配設された給湯給水管から湯および水が供給される。吐水本体部３０は円筒状をなし、壁体５１に平行に設けられている。吐水具３１は、吐水本体部３０から浴槽１中央方向へ延び、先端部から湯水を吐出する。尚、シャワーヘッド２１に繋がるホース２３の端部は、吐水本体部３０から下方に延びる給水口に接続される。尚、フック２２のスライド可能な位置は、シャワーヘッド２１をフック２２に掛けた状態でホース２３が浴槽１に溜めた湯に浸からない位置に規制されていてもよい。この場合、フック２２が縦ガイドバー２０上で移動可能な最下端位置において、ホース２３が浴槽１に溜めた湯に浸からないようにする。
【００１８】
切替水量調節つまみ３２は、吐水本体部３０の一端部に設けられており、吐水具３１またはシャワーヘッド２１のいずれか一方からの吐水を切替え、水量を調節することができる。また、温度調節つまみ３３は、吐水本体部３０の他端部に設けられており、吐水具３１およびシャワーヘッド２１から吐出する湯水の温度を調節することができる。
【００１９】
次に浴室ユニット１００の作用について説明する。上述のとおり、シャワー装置２のフック２２が配設される壁体５１に対向して扉６が設けられている。フック２２にはシャワーヘッド２１が掛け止められる。ユーザは、例えば左側扉６ａを開けて外部から浴槽１へ移動して浴室ユニット１００内部へ進入し、左側扉６ａを閉めて入浴する。ユーザが浴室ユニット１００内部へ進入する際に、フック２２およびフック２２に掛け止められたシャワーヘッド２１は、ユーザの進路の途中にはないため障害物とならない。これにより、浴室ユニット１００は、フック２２およびシャワーヘッド２１が障害物とならず、外部から浴槽１への移動が容易となり、利便性が向上する。
【００２０】
また、吐水装置３は、フック２２およびシャワーヘッド２１と同様に壁体５１に配設されているため、ユーザが外部から浴槽１へ移動する際に障害物とならない。これにより、浴室ユニット１００は、吐水装置３が障害物とならず、外部から浴槽１への移動が容易となり、利便性が向上する。
【００２１】
また、吐水装置３が扉６側から見て正面にあるため、ユーザは、浴室ユニット１００の外部から扉６を開けて内部を見たときに、吐水装置３の視認性が良く、浴室ユニット１００の外部から手を伸ばして操作し易い。
【００２２】
次に、実施形態の浴室ユニット１００の特徴を説明する。
本発明の実施形態に係る浴室ユニット１００は、湯を溜める浴槽１と、浴槽１内において入浴する入浴者に湯を浴びせるシャワー装置２と、浴槽１を囲繞するように浴槽１の周縁部１０に配設された壁体５１、５２および５３、並びに扉６とを備える。浴槽１の長手方向に沿う一側における壁体５１に、シャワー装置２のシャワーヘッド２１を掛け止めるフック２２が配設されている。扉６は、前記一側の反対側である他側に配設されている。フック２２およびフック２２に掛け止められたシャワーヘッド２１は、扉６を開けて浴槽１へ進入するユーザの進路の途中にはなく障害物とならない。これによって、浴室ユニット１００は、外部から浴槽１へのユーザの移動が容易となり、利便性が向上する。
【００２３】
また、吐水装置３は、前記一側に配設されている。これにより、吐水装置３が扉６側から見て正面にあるため、浴室ユニット１００は、扉６を開けて内部を見たときに、吐水装置３の視認性が良く、ユーザによる操作性が良い。
【００２４】
（変形例）
図７は、変形例に係る浴室ユニット１００における図４のＢ−Ｂ線による断面に相当する断面図である。この変形例に係る浴室ユニット１００において、フック２２は、扉６と同じ側に配設されている。即ち、フック２２および扉６が、浴槽１の長手方向に沿う同じ一側に配設されている。浴室ユニット１００は、壁体５２の端部から浴槽１の長手方向の中央部にかけて、浴槽１の周縁部１０に配設される壁体５４を有する。シャワー装置２および吐水装置３は壁体５４に配設されている。扉６は引き戸であり、壁体５４の外側でスライドして開閉することができる。
【００２５】
ユーザは、扉６を壁体５４の外側でスライドさせて開状態とし、外部から浴槽１へ移動して浴室ユニット１００内部へ進入し、扉６を閉めて入浴する。ユーザが浴室ユニット１００内部へ進入する際に、フック２２およびフック２２に掛け止められたシャワーヘッド２１は、ユーザの進路の側方にあり、途中にはないため障害物とならない。これにより、浴室ユニット１００は、フック２２およびシャワーヘッド２１が障害物とならず、外部から浴槽１への移動が容易となり、利便性が向上する。
【００２６】
また、吐水装置３は、フック２２およびシャワーヘッド２１と同様に壁体５４に配設されているため、ユーザが外部から浴槽１へ移動する際に障害物とならない。これにより、浴室ユニット１００は、吐水装置３が障害物とならず、外部から浴槽１への移動が容易となり、利便性が向上する。
【００２７】
また、吐水装置３は、浴槽１の長手方向の中央部に配設する、即ち、壁体５４の壁体５２側と反対側の端部付近に配置することで、ユーザが浴室ユニット１００の外部から扉６を開けて手が届き易くなり、操作性が良くなる。
【００２８】
この変形例に係る浴室ユニット１００は、湯を溜める浴槽１と、浴槽１内において入浴する入浴者に湯を浴びせるシャワー装置２と、浴槽１を囲繞するように浴槽１の周縁部１０に配設された壁体５１、５２、５３および５４、並びに扉６とを備える。浴槽１の長手方向に沿う一側における壁体５４に、シャワー装置２のシャワーヘッド２１を掛け止めるフック２２が配設されている。扉６は、前記一側と同じ側に配設されている。フック２２およびフック２２に掛け止められたシャワーヘッド２１は、扉６を開けて浴槽１へ進入するユーザの進路の途中にはなく障害物とならない。これによって、浴室ユニット１００は、外部から浴槽１へのユーザの移動が容易となり、利便性が向上する。
【００２９】
図８は、別の変形例に係る浴室ユニット１００における図４のＢ−Ｂ線による断面に相当する断面図である。この変形例に係る浴室ユニット１００において、吐水装置３は、浴槽１の長手方向の端部の壁体５２に配設されている。フック２２および扉６の配置は、上述の実施形態と同じである。シャワーヘッド２１に接続されるホース２３は、吐水装置３から延びて浴室ユニット１００内部に設けられていてもよい。また、ホース２３は、シャワー装置２の下方における壁体５１に設けた給水口に接続し、壁体５１および壁体５２の裏側を通る配管によって吐水装置３から給水口に湯水を供給するようにしてもよい。
【００３０】
ユーザは、例えば左側扉６ａを開けて外部から浴槽１へ移動して浴室ユニット１００内部へ進入し、左側扉６ａを閉めて入浴する。ユーザが浴室ユニット１００内部へ進入する際に、フック２２およびフック２２に掛け止められたシャワーヘッド２１は、ユーザの進路の途中にはないため障害物とならない。これにより、浴室ユニット１００は、フック２２およびシャワーヘッド２１が障害物とならず、外部から浴槽１への移動が容易となり、利便性が向上する。
【００３１】
また、吐水装置３は、壁体５２に配設されているため、ユーザが左側扉６ａを開けて外部から浴槽１へ移動する際に障害物とならない。これにより、浴室ユニット１００は、吐水装置３が障害物とならず、外部から浴槽１への移動が容易となり、利便性が向上する。
【００３２】
また、吐水装置３は、壁体５２に配設されているため、ユーザが右側扉６ｂを開けたときに、浴室ユニット１００の外部から手が届き易い位置にあり、操作性が良くなる。尚、図７に示した変形例においても、吐水装置３を壁体５２に配設する構成としてもよい。
【００３３】
この別の変形例に係る浴室ユニット１００は、浴槽１の長手方向の端部における壁体５２に吐水装置３が配設されている。吐水装置３は、ユーザが左側扉６ａを開けて外部から浴槽１へ移動する際に障害物とならない。これにより、浴室ユニット１００は、吐水装置３が障害物とならず、外部から浴槽１への移動が容易となり、利便性が向上する。
【００３４】
上述の実施形態および変形例においては、扉６として引き違い戸や引き戸の例を示したが、扉６は折れ戸や、開き戸等であってもよい。また、シャワー装置２は、縦ガイドバー２０によってフック２２を上下に摺動することができる例を示したが、縦ガイドバー２０がなく、壁体５１等にフック２２が固定的または着脱可能に取り付けられていてもよい。尚、フック２２を固定的に設ける場合にも、シャワーヘッド２１をフック２２に掛けた状態で、ホース２３が浴槽１に溜めた湯に浸からないようにしてもよい。
【００３５】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００３６】
１  浴槽、  １０  周縁部、  ２  シャワー装置、  ２１  シャワーヘッド、
２２  フック、  ３  吐水装置、  ５１，５２，５３，５４  壁体、  ６  扉、
１００  浴室ユニット。
【図１】
2018186964.tif 000003
【図２】
2018186964.tif 000004
【図３】
2018186964.tif 000005
【図４】
2018186964.tif 000006
【図５】
2018186964.tif 000007
【図６】
2018186964.tif 000008
【図７】
2018186964.tif 000009
【図８】
2018186964.tif 000010